【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
駐車支援システムであって、
複数のセンサからセンサ情報を受信する通信インタフェースと、
前記センサ情報を使用して、複数の潜在的駐車スペースから１つ以上の利用可能駐車スペースを決定する利用可能性決定回路と、
前記利用可能駐車スペースに対応する駐車スペースパラメータを決定するパラメータ決定回路であって、センサからの情報を使用して、利用可能な駐車スペースを少なくとも部分的に妨害する障害物の存在を決定し、少なくとも部分的に妨害された利用可能な駐車場所について決定された駐車スペースパラメータに対する障害物に関する情報を含めるパラメータ決定回路と、
所与の車両に適合している１つ以上の利用可能駐車スペースを識別するために、前記所与の車両に対する車両プロファイル情報を、障害物情報を含む前記駐車スペースパラメータと比較する比較回路と、
前記所与の車両に適合する識別された利用可能駐車スペースの駐車スペースマップであって、前記所与の車両に提供可能な駐車スペースマップを生成する駐車スペースマップ生成回路と、
前記駐車スペースマップ上の識別された適合する前記利用可能駐車スペースのうちの１以上から、前記所与の車両のユーザが予約のために選択した駐車スペースを識別する駐車スペース予約を受信する通信回路であって、前記駐車スペース予約が前記所与の車両のユーザから、前記所与の車両が前記駐車スペースに到着するのに先立って受信される、通信回路と、
を備え、
前記駐車スペース予約に基づき、前記駐車支援システムは、前記ユーザが予約のために選択した前記駐車スペースが利用不可であることを反映するように、駐車スペース利用可能性データを更新する、
駐車支援システム。
【請求項２】
前記駐車支援システムは、車両において駐車容易化回路を備えている、請求項１に記載のシステム。
【請求項３】
前記駐車支援システムは、クラウド環境において駐車容易化回路を備えている、請求項１に記載のシステム。
【請求項４】
前記複数のセンサは、アクティブな車両におけるセンサ、パッシブな車両におけるセンサ、およびインフラ要素のセンサのうちの少なくとも１つを備えている、請求項１に記載のシステム。
【請求項５】
前記駐車支援システムは、アクティブな車両における複数のセンサおよびパッシブな車両における複数のセンサを更に備えており、前記センサは、潜在的駐車スペースについての情報を集める、請求項１に記載のシステム。
【請求項６】
駐車容易化回路を使用する協働駐車支援の方法であって、
決定されたエリアにおいて、１つ以上の利用可能駐車スペースを探し当てるために、複数のセンサからの情報を使用することと、
利用可能な駐車スペースを少なくとも部分的に妨害する障害物の存在を決定するために、センサからの情報を使用することと、
前記利用可能駐車スペースのそれぞれに対する駐車スペースパラメータを生成するために、探し当てた前記利用可能駐車スペースを特徴付けることであって、妨害された駐車場所に対する駐車スペースパラメータは障害物に関する情報を含む、特徴付けることと、
利用可能駐車スペースの標識と、前記利用可能駐車スペースの場所と、前記利用可能駐車スペースに対する駐車スペースパラメータと、を備えている駐車スペースマップを生成することと、
前記決定されたエリアにおいて駐車しようとしている車両に適合している１つ以上の利用可能駐車スペースのみが利用可能駐車スペースとして含まれるように、前記駐車スペースパラメータに基づいて前記駐車スペースマップを選別することと、
選別された前記駐車スペースマップを、前記車両の乗員が見られるように、前記車両のユーザインタフェースに提供することと、
選別された前記駐車スペースマップ上の適合する前記利用可能駐車スペースから、前記車両の乗員が予約のために選択した駐車スペースを識別する駐車スペース予約を受信することであって、前記駐車スペース予約が前記車両の乗員から、前記車両が予約のために選択された前記駐車スペースに到着するのに先立って受信される、受信することと、
前記駐車スペース予約に基づき、前記車両の乗員が予約のために選択した前記駐車スペースが利用不可であることを反映するように、選別された前記駐車スペースマップを更新することと、
を含む、方法。
【請求項７】
前記選別することが、
１台以上の車両のそれぞれに対するプロファイルであって、それぞれが各車両に対する詳述データを含んでいるプロファイルを得ることと、
前記車両のための１つ以上の適合している駐車スペースを識別するために、前記１台以上の車両のそれぞれに対する前記プロファイルを、利用可能駐車スペースに対する前記駐車スペースパラメータと比較することと、
を含む、請求項６に記載の方法。
【請求項８】
前記選別することが、前記決定されたエリアにおいて駐車しようとしている複数の車両に対するプロファイルであって、それぞれがその対応する車両に対する詳述データを含んでいるプロファイルを得ることと、前記決定されたエリアにおいて駐車しようとしている前記複数の車両のうちの１台以上に適合している１つ以上の駐車スペースを識別するために、前記複数の車両のそれぞれに対する前記プロファイルを、前記決定されたエリアにおける利用可能駐車スペースに対する前記駐車スペースパラメータと比較することと、を更に含み、
前記提供することが、前記選別された駐車スペースマップを、前記複数の車両に送信することを更に含む、
請求項６に記載の方法。
【請求項９】
選択された駐車スペースのユーザ入力を受け取るユーザインタフェースであって、車両のナビゲーションシステムが前記選択された駐車スペースに前記車両を導くための指示を生成できるように、選択を前記ナビゲーションシステムに提供するユーザインタフェースを更に備えている、請求項６に記載の方法。
【請求項１０】
駐車スペースパラメータが、駐車スペースの長さ、幅、および高さのうちの少なくとも１つを備え、第１の駐車スペースに対する駐車スペースパラメータが、前記第１の駐車スペースに隣接して駐車している車両の近接センサから測定値を取ることにより決定される、請求項６に記載の方法。
【請求項１１】
前記車両の乗員から予約を受信したときに、予約のために選択された前記駐車スペースのための支払を受領することを更に含む、請求項６に記載の方法。
【請求項１２】
予約のために選択された識別された前記駐車スペースが利用不可であることを反映するように選別された前記駐車スペースマップを更新することが、前記予約を受信したときに、選別された前記駐車スペースマップを更新することを含む、請求項６に記載の方法。
【請求項１３】
前記駐車スペース予約が更に、前記予約の時間期間を備えており、前記駐車スペースが利用不可であることを反映するように、選別された前記駐車スペースマップを更新することが、前記予約の時間期間のみにわたり、前記駐車スペースが利用不可であることを反映させることを含む、請求項６に記載の方法。
【請求項１４】
前記車両が予約のために選択された前記駐車スペースに駐車することが許可されていることを確認するために、前記車両のための車両識別子を使用することを更に含む、請求項６に記載の方法。
【請求項１５】
電子サインであって、前記電子サインに対応する駐車スペースの予約の状態を示す電子サインを使用することを更に含み、前記電子サインに対応する駐車スペースの予約の状態に基づいて、前記電子サインの表示が更新される、請求項６に記載の方法。